(57)【要約】特別な道具や支柱の切断を必要とせず、ギプスのサイズを患者に合わせるために支柱の作動長を変える支柱長さ調節アセンブリ（３０）を含む整形外科ギプスである。調節アセンブリ（３０）は、支柱に設けた切込み（６２）と共同作用し、調節アセンブリ（３０）に対して支柱を可変的に設定／位置決めして、支柱の長さを設定する付勢調節機構（３８）を含む。上部支柱および下部支柱（１２、１４）は各々、各支柱の長さを独立して設定する支柱長さ調節アセンブリを含むことが好ましい。支柱長さ調節アセンブリは、支柱を保持し、ストラップを解除可能に係合するように構成されたストラップ保持機構を含む。
2004512863.tif 000002
【特許請求の範囲】
【請求項１】
第１の支柱と、
第２の支柱と、
前記第１の支柱と前記第２の支柱との間に配置された蝶番であって、該蝶番によって画定された軸の周りに前記第１の支柱および前記第２の支柱の１つが運動可能となるように構成された蝶番と、
前記第１の支柱および前記第２の支柱の１つに配置され、前記第１の支柱および前記第２の支柱の１つと協働して、前記第１の支柱および前記第２の支柱の１つの作動長が調節可能に構成された調節アセンブリとを含む整形外科ギプス。
【請求項２】
前記第１の支柱および前記第２の支柱の１つが、複数の支柱長さ調節点に対応する複数の開口を含み、
前記調節アセンブリが、
前記第１の支柱および前記第２の支柱の１つをスライド可能に受けるように構成されたスロットを有する本体と、
前記第１の支柱および前記第２の支柱の１つの長さを設定するために、前記複数の開口のいずれか１つと係合するように構成された保持アセンブリとを含むことを特徴とする請求項１記載の整形外科ギプス。
【請求項３】
前記保持アセンブリが、
作動部と、
ばねと、
固定部と、
ブッシングとを含み、
前記ばねが、前記作動部と前記ブッシングとの間に配置されたまま、前記固定部が、前記ブッシングを前記作動部に結合させることを特徴とする請求項２記載の整形外科ギプス。
【請求項４】
前記保持アセンブリが、前記複数の開口のうち選択された１つと係合するように、通常前記ばねによって付勢されていることを特徴とする請求項３記載の整形外科ギプス。
【請求項５】
前記保持アセンブリが、前記複数の開口のうち選択された１つから一時的に外れるように付勢可能であることを特徴とする請求項４記載の整形外科ギプス。
【請求項６】
前記ブッシングが、前記複数の開口のうち選択された１つと係合するように、通常付勢されていることを特徴とする請求項３記載の整形外科ギプス。
【請求項７】
使用者の身体部分に取り付けるのに適合したストラップを受けるように構成されたチャネルをさらに含むことを特徴とする請求項６記載の整形外科ギプス。
【請求項８】
上部支柱と、
下部支柱と、
前記上部支柱と前記下部支柱との間に配置された蝶番であって、該蝶番によって画定された軸の周りに前記上部支柱および前記下部支柱の１つが運動可能となるように構成された蝶番とを含み、
前記上部支柱および前記下部支柱の１つは、複数の支柱長さ調節点を定める複数の切込みを有しており、
前記第１の支柱と前記第２の支柱の１つに配置され、前記第１の支柱および前記第２の支柱の１つにおける複数の切込みのいずれか１つと協働して、前記第１の支柱および前記第２の支柱の１つの長さを選択的に設定するように構成された調節アセンブリとを含む整形外科ギプス。
【請求項９】
前記調節アセンブリが、
前記第１の支柱および前記第２の支柱の１つをスライド可能に受けるように構成された長手方向のスロットを有する本体と、
前記第１の支柱および前記第２の支柱の１つの長さを設定するために、前記複数の切込みのいずれか１つと選択的に係合するように構成された保持アセンブリとを含むことを特徴とする請求項８記載の整形外科ギプス。
【請求項１０】
前記保持アセンブリが、
作動ボタンと、
ばねと、
固定部と、
保持ブッシングとを含み、
前記ばねが、前記作動ボタンと前記ブッシングとの間に配置されたまま、前記固定部が、前記保持ブッシングを前記作動ボタンに結合させることを特徴とする請求項９記載の整形外科ギプス。
【請求項１１】
前記保持アセンブリが、前記複数の切込みのうち選択された１つと係合するように、通常前記ばねによって付勢されていることを特徴とする請求項１０記載の整形外科ギプス。
【請求項１２】
前記保持アセンブリが、前記複数の切込みのうち選択された１つから一時的に外れるように付勢可能であることを特徴とする請求項１１記載の整形外科ギプス。
【請求項１３】
前記ブッシングが、前記複数の切込みのうち選択された１つと係合するように、通常付勢されていることを特徴とする請求項１０記載の整形外科ギプス。
【請求項１４】
使用者の身体部分に取り付けるのに適合したストラップを受けるように構成されたチャネルをさらに含むことを特徴とする請求項１３記載の整形外科ギプス。
【請求項１５】
上部支柱と、
下部支柱と、
前記上部支柱と前記下部支柱との間に配置された蝶番であって、該蝶番によって画定された軸の周りに前記上部支柱および前記下部支柱の１つが運動可能となるように構成された蝶番とを含み、
前記上部支柱に配置され、該上部支柱と協働して該上部支柱の長さが調節可能に構成された上部調節アセンブリと、
前記下部支柱に配置され、該下部支柱と協働して該下部支柱の長さが調節可能に構成された下部調節アセンブリとを含む整形外科ギプス。
【請求項１６】
前記上部支柱が、複数の上部支柱長さ調節点に対応する複数の上部切込みを含み、
前記下部支柱が、複数の下部支柱長さ調節点に対応する複数の下部切込みを含み、
前記上部調節アセンブリが、
前記上部支柱をスライド可能に受けるように構成された上部スロットを有する上部本体と、
前記上部支柱の長さを設定するため、前記複数の上部切込みのいずれか１つに係合するように構成された上部保持アセンブリとを含み、
前記下部調節アセンブリが、
前記下部支柱をスライド可能に受けるように構成された下部スロットを有する下部本体と、
前記下部支柱の長さを設定するため、前記複数の下部切込みのいずれか１つに係合するように構成された下部保持アセンブリとを含むことを特徴とする請求項１５記載の整形外科ギプス。
【請求項１７】
前記上部保持アセンブリおよび前記下部保持アセンブリの各々が、
作動部と、
ばねと、
固定部と、
ブッシングとを含み、
前記ばねが、前記作動部と前記ブッシングとの間に配置されたまま、前記固定部が、前記ブッシングを前記作動部に結合させることを特徴とする請求項１６記載の整形外科ギプス。
【請求項１８】
前記上部保持アセンブリおよび前記下部保持アセンブリが各々、前記複数の上部切込みおよび下部切込みのうち選択された１つとそれぞれ係合するように、通常それぞれの前記ばねによって付勢されていることを特徴とする請求項１７記載の整形外科ギプス。
【請求項１９】
前記上部保持アセンブリおよび前記下部保持アセンブリの各々が、前記複数の上部切込みおよび下部切込みのうち選択された１つから一時的にそれぞれ外れるように付勢可能であることを特徴とする請求項１８記載の整形外科ギプス。
【請求項２０】
前記上部本体および前記下部本体が各々、使用者の身体部分に取り付けるのに適合したストラップを受けるように構成されたチャネルをさらに含むことを特徴とする請求項１９記載の整形外科ギプス。
【請求項２１】
上部支柱と、
下部支柱と、
前記上部支柱と前記下部支柱との間に配置された蝶番と、
前記上部支柱と前記下部支柱の１つに配置されたウイングアセンブリとを含み、該ウイングアセンブリが、使用者の身体部分に該ウイングアセンブリを固定するためのストラップを解除可能に保持するように構成されたストラップ保持具を含む整形外科ギプス。
【請求項２２】
前記ストラップ保持具が、前記ウイングアセンブリに固定された第１の端部と、前記ウイングアセンブリと解除可能に係合可能な第２の端部とを有する弾力性部材を含むことを特徴とする請求項２１記載の整形外科ギプス。
【請求項２３】
前記第２の端部が摩擦係合機構を含むことを特徴とする請求項２２記載の整形外科ギプス。
【請求項２４】
整形外科ギプスのための支柱保持アセンブリであって、
本体と、
該本体によって画定され、整形外科ギプスの支柱を受けるように構成されたチャネルと、
前記本体に配置され、該本体を使用者の身体部分に固定するためのストラップを解除可能に保持するように構成されたストラップ保持具とを含む支柱保持アセンブリ。
【請求項２５】
前記ストラップ保持具が、前記本体に固定された第１の端部と、前記本体と解除可能に係合可能な第２の端部とを有する可撓性部材を含むことを特徴とする請求項２４記載の支柱保持アセンブリ。
【請求項２６】
前記第２の端部が摩擦係合装置を含むことを特徴とする請求項２５記載の支柱保持アセンブリ。
【発明の詳細な説明】
本願は、１９９９年９月２７日に出願された米国仮出願第６０／１５６３４２号の利益を特許請求するものである。
【０００１】
（発明の分野）
本発明は、侵襲外科手術の後、関節を安定化させる用途に、長さ調節可能な支柱によって適合された整形外科ギプスに関する。
【０００２】
（従来の技術の説明）
外科処置または侵襲外科手術の後、人の関節の適切な回復を確保するために、人の関節のピボット旋回運動を完全伸展と完全屈曲との間の所定角範囲に制限することがしばしば望ましい。ピボット旋回運動は、上部支柱と下部支柱との間に配置された可動域蝶番によって、制限されるとよい。整形外科ギプスを適切に機能させるために、支柱は患者の身体に適合可能でなければならない。
【０００３】
このような可動域ギプスの性質、およびこのような装置がどのように或いは何故使用されるのかを明らかにするために、この一般的なタイプの整形外科ギプスを記載した下記の米国特許を、参照文献として挙げることができる。すなわち、１８９５年１２月３１日発行の米国特許第５５２，１４３号、１９００年５月８日発行の米国特許第６４９，２３７号、「Ｍｏｄｕｌａｒ　Ｌｏｗｅｒ　Ｌｉｍｂ　Ｂｒａｃｉｎｇ　Ｓｙｓｔｅｍ」と題され、１９８８年１０月１１日にＹｏｕｎｇ等に付与された米国特許第４７７６，３２６号、「Ｍｏｔｉｏｎ　Ｒｅｓｔｒａｉｎｉｎｇ　Ｋｎｅｅ　Ｂｒａｃｅ」と題され、１９８９年４月４日にＢｌｅｄｓｏｅに付与された米国特許第４，８１７，５８８号、「Ｏｒｔｈｏｐｅｄｉｃ　Ｒｅｈａｂｉｌｉｔａｔｉｏｎ　Ｋｎｅｅ　Ｂｒａｃｅ」と題され、１９９１年１月８日にＭｏｒｒｉｓに付与された米国特許第４，９８２，７３２号、「Ｃｏｍｂｉｎａｔｉｏｎ　Ｂｒａｃｅ　ａｎｄ　Ｗｅａｒａｂｌｅ　Ｅｘｅｒｃｉｓｅ　Ａｐｐａｒａｔｕｓ　ｆｏｒ　Ｂｏｄｙ　Ｊｏｉｎｔｓ」と題され、１９９１年１０月１日にＡｉｒｙ等に付与された米国特許第５，０５２，３７９号、および「Ｋｎｅｅ　Ｂｒａｃｅ」と題され、１９９１年５月２８日にＧｒｏｏｄ等に付与された米国特許第５，０１８，５１４号である。
【０００４】
上述の特許の中に記載された整形外科ギプスには、さまざまな問題、不十分な個所、および欠点があることがよく知られている。いくつかの場合には、このようなギプスが患者にぴったり合うように調節することができず、むしろ、ギプスはさまざまな固定サイズのものとなっている。或いは、ギプスが容易には調節されず、例えば支柱のサイズを変えるための道具を必要とする。支柱の長さを永続的に変えるために、支柱の一部を実際に切断する、或いは折り取ることを必要とするギプスもある。また、締付けねじからのような摩擦を当てにして、決して確実には支柱を望みの長さにロックすることができないものもある。
【０００５】
したがって本発明は、調節が容易な整形外科ギプスを提供することを目的としている。
【０００６】
また本発明は、道具を必要とすることなく、調節可能な整形外科ギプスを提供することを別の目的としている。
【０００７】
また本発明は、支柱を切断したり折り取ったりすることなく、調節可能な整形外科ギプスを提供することをさらに別の目的としている。
【０００８】
（発明の概要）
本発明は、長さ調節可能な支柱を備えた整形外科ギプスである。
【０００９】
１つの態様において、本発明に係る整形外科ギプスは、第１の支柱と、第２の支柱と、第１の支柱と第２の支柱との間に配置された蝶番と、第１の支柱および第２の支柱の１つに配置された調節アセンブリとを含む。蝶番は、この蝶番によって画定された軸の周りに前記第１の支柱および前記第２の支柱の１つが運動可能となるように構成されている。調節アセンブリは、前記第１の支柱および前記第２の支柱の１つと協働して、前記第１の支柱および前記第２の支柱の１つの作動長が調節可能に構成されている。
【００１０】
別の態様において、本発明に係る整形外科ギプスは、上部支柱と、下部支柱と、上部支柱と下部支柱との間に配置された蝶番と、第１の支柱と第２の支柱の１つに配置された調節アセンブリとを含む。蝶番は、この蝶番によって画定された軸の周りに上部支柱および下部支柱の１つが運動可能となるように構成されている。上部支柱および下部支柱の１つは、複数の支柱長さ調節点を定める複数の切込みを有する。調節アセンブリは、第１の支柱および第２の支柱の１つにおける複数の切込みのいずれか１つと協働して、前記第１の支柱および前記第２の支柱の１つの長さを選択的に設定するように構成されている。
【００１１】
さらに別の態様において、本発明に係る整形外科ギプスは、上部支柱と、下部支柱と、上部支柱と下部支柱との間に配置された蝶番と、上部支柱に配置された上部調節アセンブリと、下部支柱に配置された下部調節アセンブリとを含む。蝶番は、この蝶番によって画定された軸の周りに上部支柱および下部支柱の１つが運動可能となるように構成されている。上部調節アセンブリは、上部支柱と協働して上部支柱の長さが調節可能に構成されている。下部調節アセンブリは、下部支柱と協働して下部支柱の長さが調節可能に構成されている。
【００１２】
したがって本発明は、道具の使用によらず、幾つかの別の長さ、或いは元の長さへと要望通りに戻る能力でもって、長さが変更され得る整形外科ギプスの支柱を提供することによって、従来の技術に改良を加えるものである。
【００１３】
また本発明によれば、摩擦に依存するのではなく、支柱長さの調節アセンブリのための単動の確実なロックが提供される。支柱をサイズ決めしたり決め直したりする能力によって、人体の事実上どの関節にも整形外科ギプスを適用する、費用効果の高い快適な手段が提供され、サイズ決めできないギプスの大きな在庫をかかえる必要性が除かれる。また、確実なロックを提供することによって、改善されたギプスは、より好適に患者を保護し回復を早くする。
【００１４】
また本発明によれば、クッション材料および／または滑らない材料が取り付けられた、起伏付きウイングが、ギプスの取り付けられた後、そのギプスの移動を制限するために使用され、患者をより快適にさせることができる。
【００１５】
添付の図面と併せて理解される本発明の実施の形態における後述する説明を参照することによって、本発明の上述した、或いはその他の特徴および利点と、これらを実現するための方法とがより明らかになるであろう。
【００１６】
いくつかの図面を通じて、対応する符号は対応する部品を示すものである。
【００１７】
（発明の詳細な説明）
図１には、上部支柱１２と下部支柱１４との上に取り付けられた複数のストラップ５４を使用し、上部支柱１２と下部支柱１４との間に配置された蝶番アセンブリ１６によって動作可能なように、脚６４に取り付けられた整形外科ギプス１０が示されている。整形外科ギプス１０の片側だけが示されているが（すなわち蝶番アセンブリ１６、上部支柱１２、および下部支柱１４または「アセンブリ」）、同一であるが鏡像のアセンブリが脚６４の反対側にも備えられる。
【００１８】
各支柱１２、１４は、いずれにせよ変形例が考えられるが好ましくは同一に構成されたウイングアセンブリ１８を備え、このアセンブリは、調節可能な動作のために、細長い支柱１２、１４上にスライド可能に取り付けられている。別のいい方をすれば、各支柱１２、１４は、調節可能な支柱アセンブリ１８を通じて、蝶番１６とストラップ５４との間の支柱の長さに対して長さの調節が可能である。以下これを支柱の長さ調節とする。このようなアセンブリ１８は支柱１２、１４の両方に、または２つの支柱１２、１４の片方のみに提供され得ることが理解されるべきである。さらに、支柱の長さ調節の可能性とは、支柱（１２および／または１４）に対する一方または両方のアセンブリ１８の調節、またはアセンブリ１８に対する支柱（１２および／または１４）の調節と考えられ得ることも理解されるべきである。
【００１９】
細長い支柱１２、１４上のウイングアセンブリ１８の調節可能な取付けによって、支柱は、それぞれのウイングアセンブリ１８の、他方に対抗する一方を出入りして自在に伸縮することが可能となり、下記に説明するように、一例としては長い或いは短い脚に、または別の例としては長い或いは短い腕に対応することができる。ウイングアセンブリの構造および機能は、上部支柱１２に取り付けられるか、または下部支柱１４に取り付けられるかには関係なく同様であるから、次の説明においては上部支柱１２およびそのウイングアセンブリ１８についてのみ言及がなされる。なお、支柱１２、１４の構造および機能は同一であるから（各支柱はウイングアセンブリ１８内で終端すると想定する）、次の説明における支柱１２への言及は支柱１４に付属すると解釈されよう。
【００２０】
図２Ａを参照すると、ウイングアセンブリ１８は、例えばプラスチックのような比較的堅固な材料で形成されることが好ましいウイング本体２０を有している。ウイング本体２０は、弧状の断面を有し、１つまたは複数のストラップ保持ループ２２を備えている。ループ２２は、ウイングアセンブリ１８と（図１に示すように）脚６４などの人の肢との両方を囲むようそのループ２２に通される１つまたは複数の調節可能なストラップ５４を受け、これによってギプス１０を例えば脚６４に動かないように固定するためのものである。図２Ｂは、着用者の肢に当て、かつギプス１０が適当な位置に留まることを確実にするための滑らないクッションの十分な層５０が、弧状のウイング本体２０の下側に備えられることを示している。
【００２１】
図２Ｂ、図３、図４Ａ、および図４Ｂによれば、ウイング本体２０の下側には、ウイング本体２０の全長にわたって縦方向に延びる単一チャネル４６が形成されていることがわかる。チャネル４６はクッション５０を２つに分割して広く開いているが、ウイング本体２０の溝縁４８部分は、チャネル４６各側の全縦方向の長さにわたって、チャネル４６の各側縁部において、チャネル４６の上に突出している。対向する溝縁４８を有するチャネル４６は、細長い支柱１２を受け、支柱１２がチャネル４６に入ったり出たりして自在に伸縮するときに、支柱１２を保持し案内する。チャネル４６が開いているという特徴は、整形外科ギプス１０の全重量を軽減することの助けにもなっている。
【００２２】
図２Ｂ、および図３を参照すると、支柱１２には、その本体を通じて長手方向のスロット６０が形成されている。スロット６０の長さは、整形外科ギプス１０の所望の最長および最短の長さに依存して変更され得る。長手方向に離間しているスロット６０の各側には、全体的に６２で示された複数の弧状の停止用切込みが存在する。切込み６２は、複数の対向する切込み６２ｂ、それと鏡像をなし、スロット６０を越えて真向かいに位置する複数の切込み６２ａに均等に分割されており、対向する弧状をなす切込み６２ａ、６２ｂの対は、これらの端部が、スロット６０の中心から対向する切込みの中心までの距離に等しい一定半径の弧によって連結されたなら、１つの円を画定するようになっている。スロット６０の一端は弧状切込み６２ｃを含み、スロット６０の他端は鏡像の弧状切込み６２ｄを含んでいる。切込み６２ｃ、６２ｄは、各端部で切込み６２ａ、６２ｂの外端部につながっている。切込みは、図示されたもの以外の形状であってもよい。
【００２３】
図３を参照すると、ウイング本体２０にはまた、本体２０の上部に凹部または室２８が形成されている。この室は円形として示されているが、どのような形状にもすることができる。ウイング本体２０にはまた、室２８よりも小さな直径で、室２８の中心を通ってウイング本体２０の下側におけるスロット６０までずっと延びている開口２６が画定されている。室２８および開口２６は、ロックの確実な、調節またはボタンアセンブリ３０を収容するようになっている。
【００２４】
調節アセンブリ３０（図３）は、全体的に平坦なプッシュボタン上部３２を備えており、この上部３２は、その上部から下向きに、かつ上部に対して垂直に延びた円筒形延長部３４を有している。円筒形延長部３４は、それ自身が切込み６２ａ、６２ｂのいずれとも係合することなく、開口２６とスロット６０とを通じて自由に移動することができる半径を有している。さらに図４Ａ、および図４Ｂを参照すると、ねじ山付き開口３６が、上部３２および延長部３４の中心を通って下方向に延び、ウイング本体２０の下側からねじ４２を受けるようになっている。室２６より小さな直径を有する付勢ばね３８が、延長部３４を覆うように嵌め込まれている。切込み６２ａ、６２ｂ、６２ｃ、６２ｄの半径に近い半径を有する保持ブッシング４０が、開口２８を通って延長部３４内のねじ山付き開口３６、したがってボタン３２に突き刺さる、ねじ４２によってウイング本体２０の下側から調節アセンブリ３０（延長部３４）に固定されている。これによって、ばね３８は、ボタン上部３２の裏面３３と室２８の底２７との間に固定されて挟まれている。
【００２５】
図２Ｂ、図４Ａは、調節アセンブリ３０が確実にロックされた状態を示す。支柱１２を保持するために、ばね３８は通常、プッシュボタン上部３２に、上へ、そして室の底２７から離れるようにと働きかけ（付勢して）、これによって取り付けられたブッシング４０に上方へ、そして対向する切込み６２ａ、６２ｂのうち選択された対の中に閉じこめられるようにと働きかける。ブッシング４０が切込みの中にある間、ブッシング４０は、支柱１２がウイングアセンブリ１８に対して縦方向に移動することを防止する。
【００２６】
指６６によって、下向きの圧力がプッシュボタン上部３２の上に加えられると、ばね３８が圧縮され、連結されたブッシング４０は対向する切込み６２ａ、６２ｂの外へと押し下げられる。圧力がなおも加えられたままであれば、ウイングアセンブリ１８全体は、スロット４６の上または下で平行移動可能となる（或いはその逆もまた同様）。この状態は、ボタン３２上への圧力が除かれ、ブッシング（停止部材）４０が、対向する切込み６２ａ、６２ｂの対の１つと再び係合するまで継続する。
【００２７】
図５、図６、および図７は、全体的に１１８で示されたウイングアセンブリの第２の実施の形態を示しており、これはウイングアセンブリ１８について先に説明した的確な態様により自在に伸縮する。第２の実施の形態においても、支柱１２の長さの調節に関して、ウイングアセンブリ１８と同様の機能が果たされる。ウイングアセンブリ１１８は、ウイング部材２０を横切って延びる少なくとも１つのストラップ保持チャネル７２を備えている。ストラップ保持ループ７４は、調節アセンブリ３０を保持する調節アセンブリハウジング１３１から、外側へ縦方向に、チャネル７２の全幅を横切るように延びており、調節ハウジング１３１の上部と同一平面となっている。ループ７４は、プラスチック、金属、或いは、繰り返し曲げられてもなおストラップ５４を保持するため下へ跳ね返るのに十分な弾力性を有する他の適当な材料で形成され得る。調節アセンブリ３０は、上記調節アセンブリ３０と同じように構成され、同じように機能する。ウイングアセンブリ１１８に関する特徴および／または機能については後述しないが、これらは、反していると注記されないかぎりにおいて、ウイングアセンブリ１８に関する特徴および／または機能と同じである。
【００２８】
この構成によって、ウイングアセンブリ１１８には、使用中にあまり支障を受けそうにない、より低く、より滑らかな外形が与えられる。また、保持ループ７４の一端部７８はウイング本体２０に連結されていない。端部７８はストラップ５４を定位置に保つための小塊８０を有する（図６、図７）。端部７８はまた、ウイングアセンブリ１１８と解除可能に係合することができるスナップまたは他の確実なロック機構を有していてもよい。図６を参照すると、保持ループ７４は、ストラップ５４を容易に滑り込ませるために、連結されていない端部７８で回動可能、或いは曲げ上げ可能となっている。小塊８０は、端部７８が解放された際、ストラップ５４が保持チャネル７２から滑り出ないことを確保する。図５における矢印は、もう１つのストラップが、どこにどのように配置され得るかを示している。
【００２９】
図８は、全体として２１８で示されたウイングアセンブリの第３の実施の形態を示す。この第３の実施の形態においても、ウイングアセンブリ１８および１１８に関して説明した的確な態様により自在に伸縮する。ウイングアセンブリ２１８に関する特徴および／または機能については後述しないが、これらは、ウイングアセンブリ１８および１１８に関する特徴および／または機能と同じであると考えられたい。
【００３０】
ウイングアセンブリ２１８は、設計／外観においてウイングアセンブリ１１８に類似している。ウイングアセンブリ２１８は、ストラップ（５４）を受けるための２つのチャネル７２を画定する単一の保持ループ７４を有する本体またはハウジング２０を含む。調節アセンブリ２３０は、取扱いが容易なように円形よりむしろ楕円形であり、支柱１２に近い、本体２０の端部に位置している。調節アセンブリ２３０は、調節ハウジング２３１によって囲まれている。
【００３１】
本発明は、好ましい実施の形態、および別の実施の形態を参照することにより詳細に説明されたが、本発明の技術的範囲および意図の内において変形や変更が可能である。本発明の別の特徴は、本発明を実施する、現在認められているものとして最良の形態を裏付ける好ましい実施の形態の詳細な説明を考慮することによって、当業者に明らかとなろう。
【図面の簡単な説明】
【図１】本発明の原理を具体化する長さ調節可能な支柱アセンブリを有する調節可能整形外科ギプスアセンブリの側面斜視図であり、人の脚に動作可能に連結されたギプスを示す。
【図２Ａ】図１に示した整形外科ギプス用の長さ調節可能支柱アセンブリの上面斜視図である。
【図２Ｂ】図１に示した整形外科ギプス用の長さ調節可能支柱アセンブリの底面斜視図である。
【図３】図２Ａ、図２Ｂに示した長さ調節可能支柱アセンブリの分解斜視図である。
【図４Ａ】図３に示した４−４線に沿って得られた長さ調節可能支柱アセンブリの断面図である。
【図４Ｂ】図３に示した４−４線に沿って得られた長さ調節可能支柱アセンブリの断面図である。
【図５】第２の実施の形態に係る長さ調節可能支柱アセンブリの斜視図である。
【図６】図５に示した６−６線に沿って得られた第２の実施の形態に係る長さ調節可能支柱アセンブリの断面図である。
【図７】図６に示した７−７線に沿って得られた第２の実施の形態に係る長さ調節可能支柱アセンブリの断面図である。
【図８】第３の実施の形態に係る長さ調節可能支柱アセンブリの斜視図である。
【図１】
2004512863.tif 000003
【図２Ａ】
2004512863.tif 000004
【図２Ｂ】
2004512863.tif 000005
【図３】
2004512863.tif 000006
【図４Ａ】
2004512863.tif 000007
【図４Ｂ】
2004512863.tif 000008
【図５】
2004512863.tif 000009
【図６】
2004512863.tif 000010
【図７】
2004512863.tif 000011
【図８】
2004512863.tif 000012
【国際公開パンフレット】
2004512863.tif 000013
2004512863.tif 000014
2004512863.tif 000015
2004512863.tif 000016
2004512863.tif 000017
2004512863.tif 000018
2004512863.tif 000019
2004512863.tif 000020
2004512863.tif 000021
2004512863.tif 000022
2004512863.tif 000023
2004512863.tif 000024
2004512863.tif 000025
2004512863.tif 000026
2004512863.tif 000027
2004512863.tif 000028
2004512863.tif 000029
2004512863.tif 000030
2004512863.tif 000031
2004512863.tif 000032
2004512863.tif 000033
2004512863.tif 000034
2004512863.tif 000035
【国際公開パンフレット（コレクトバージョン）】
2004512863.tif 000036
2004512863.tif 000037
2004512863.tif 000038
2004512863.tif 000039
2004512863.tif 000040
2004512863.tif 000041
2004512863.tif 000042
2004512863.tif 000043
2004512863.tif 000044
2004512863.tif 000045
2004512863.tif 000046
2004512863.tif 000047
2004512863.tif 000048
2004512863.tif 000049
2004512863.tif 000050
2004512863.tif 000051
2004512863.tif 000052
2004512863.tif 000053
2004512863.tif 000054
2004512863.tif 000055
2004512863.tif 000056
2004512863.tif 000057
2004512863.tif 000058
【国際調査報告】
2004512863.tif 000059